(57)【要約】【課題】一つの定期券で複数の契約駐車場で使用可能とする。【解決手段】、駐車場定期券は車番を記録し、駐車場毎に設置された管理計算機は、駐車場の定期契約者の有効期限、車番を登録するから、駐車場入口装置で読み取った定期券に記録されている車番が、自己の管理計算機に登録されているかを確認するだけで、確認できた場合に入場の許可を判断でき、例えばカーゲートを開けることできる。また、定期券には車番のみを記録するから、いずれの契約駐車場においても共通定期券の発行が可能となる。駐車場出口装置を設けて、出場許可を判断することもできる。【選択図】  図1
2010020671.tif 000002
【特許請求の範囲】
【請求項１】
車番を記録した駐車場定期券と、
入場時に前記定期券に記録した車番を読み取る駐車場入口装置と、
駐車場の定期契約者の有効期限、車番を登録し、前記駐車場入口装置が読み取った車番を受け、登録有効の有無を判断して駐車場入口装置に送る駐車場毎に設置された管理計算機とからなることを特徴とする駐車場定期券システム。
【請求項２】
車番を記録した駐車場定期券と、
入場時に前記定期券に記録した車番を読み取る駐車場入口装置と、
出場時に前記定期券に記録した車番を読み取る駐車場出口装置と、
駐車場の定期契約者の有効期限、車番を登録し、前記駐車場入口装置又は駐車場出口装置が読み取った車番を受け、登録有効の有無を判断して駐車場入口装置又は駐車場出口装置に送る駐車場毎に設置された管理計算機とからなることを特徴とする駐車場定期券システム。
【発明の詳細な説明】
【技術分野】
【０００１】
本発明は、複数の契約駐車場を一つの定期券で共通に使用できる駐車場定期券システムに関するものである。
【背景技術】
【０００２】
従来、契約駐車場においては、無人での契約者入出場を可能とするため、当該駐車場専用の例えば磁気式の定期券が使用されている。書き込まれるデータ中には他の駐車場の定期券が使用されないようにその駐車場特有の駐車場番号が書き込まれており、自駐車場以外の定期券が使用できないようになっている。
駐車場入口について、この状況を図２に示す。Ａ駐車場用定期券２０１ａはＡ駐車場入口装置２０２ａに挿入すると、その記録された情報を読み取り、Ａ駐車場の駐車場管理計算機２０３ａが自駐車場用のデータであることを確認して、入場許可する。Ａ駐車場入口装置２０２ａは図示しないカーゲートを開けて車輌の入場を可能とする。一方、Ａ駐車場用定期券２０１ａをＢ駐車場入口装置２０２ｂに挿入すると、その記録された情報を読み取り、Ｂ駐車場の駐車場管理計算機２０３ｂが自駐車場用のデータでないと判断して、入場拒否する。Ｂ駐車場入口装置２０２ｂは図示しないカーゲートを閉めたままとして車輌の入場を拒否する。図３に従来の定期券記録データの例を示す。
このように、複数駐車場に契約している利用者は、契約数分の定期券を所持し、利用駐車場毎に使い分ける必要があり、煩雑かつ誤使用で入出場不能の事態が発生する。
【発明の開示】
【発明が解決しようとする課題】
【０００３】
解決しようとする課題は、一つの定期券で複数の契約駐車場で使用可能とすることである。
【課題を解決するための手段】
【０００４】
請求項１に係る駐車場定期券システムは、車番を記録した駐車場定期券と、入場時に前記定期券に記録した車番を読み取る駐車場入口装置と、駐車場の定期契約者の有効期限、車番を登録し、前記駐車場入口装置が読み取った車番を受け、登録有効の有無を判断して駐車場入口装置に送る駐車場毎に設置された管理計算機とからなることを特徴とするものである。
【０００５】
請求項２に係る駐車場定期券システムは、車番を記録した駐車場定期券と、入場時に前記定期券に記録した車番を読み取る駐車場入口装置と、出場時に前記定期券に記録した車番を読み取る駐車場出口装置と、駐車場の定期契約者の有効期限、車番を登録し、前記駐車場入口装置又は駐車場出口装置が読み取った車番を受け、登録有効の有無を判断して駐車場入口装置又は駐車場出口装置に送る駐車場毎に設置された管理計算機とからなることを特徴とするものである。
【発明の効果】
【０００６】
請求項１に係る駐車場定期券システムによると、駐車場定期券は車番を記録し、駐車場毎に設置された管理計算機は、駐車場の定期契約者の有効期限、車番を登録するから、駐車場入口装置で読み取った定期券に記録されている車番が、自己の管理計算機に登録されているかを確認するだけで、確認できた場合に入場の許可を判断でき、例えばカーゲートを開けることできる。また、定期券には車番のみを記録するから、いずれの契約駐車場においても共通定期券の発行が可能となる。
【０００７】
請求項２に係る駐車場定期券システムによると、駐車場定期券は車番を記録し、駐車場毎に設置された管理計算機は、駐車場の定期契約者の有効期限、車番を登録するから、駐車場入口装置又は出口装置で読み取った定期券に記録されている車番が、自己の管理計算機に登録されているかを確認するだけで、確認できた場合に入出場の許可を判断でき、例えばカーゲートを開けることできる。また、定期券には車番のみを記録するから、いずれの契約駐車場においても共通定期券の発行が可能となる。
【実施例１】
【０００８】
図１は本発明の構成を説明する図であり、１０１は車両、１０２は共通定期券、１０３ａはＡ駐車場入口装置、１０４ａはＡ駐車場出口装置、１０５ａはＡ駐車場用の駐車場管理計算機、１０３ｂはＢ駐車場入口装置、１０４ｂはＢ駐車場出口装置、１０５ｂはＢ駐車場用の駐車場管理計算機である。
共通定期券１０２には駐車場を利用しようとする車両１０１の車番が記録例えば磁気記録されている。共通定期券の記録データの例を図４に示し、車番のみが記録されている。
Ａ駐車場入口装置１０３ａ、Ｂ駐車場入口装置１０３ｂは、それぞれ各駐車場の車両入口に設けられ前記共通定期券１０２を挿入され磁気記録された情報を読み取るとともに、それぞれ駐車場管理計算機１０５ａ、駐車場管理計算機１０５ｂの信号に基づき図示しない入口カーゲートを開閉制御する。
Ａ駐車場出口装置１０４ａ、Ｂ駐車場出口装置１０４ｂは、それぞれ各駐車場の車両出口に設けられ前記共通定期券１０２を挿入され磁気記録された情報を読み取るとともに、それぞれ駐車場管理計算機１０５ａ、駐車場管理計算機１０５ｂの信号に基づき図示しない出口カーゲートを開閉制御する。
Ａ駐車場用の駐車場管理計算機１０５ａは本発明のシステムを適用する所定の地域範囲のある一つの駐車場に設置され、Ｂ駐車場用の駐車場管理計算機１０５ｂは同地域範囲の他の一つの駐車場に設置され、当該駐車場管理計算機１０５ａ，１０５ｂのそれぞれには当該各駐車場を利用する定期契約者が有する車両の車番とそれに関連付けて、有効期限、定期券連番、定期券種別を登録する。Ａ駐車場用の駐車場管理計算機１０５ａ、Ｂ駐車場用の駐車場管理計算機１０５ｂは、前記駐車場入口装置１０３ａ，１０３ｂ及び駐車場出口装置１０４ａ，１０４ｂが読み取った車番を図示しない通信回線を通じて受け、登録有効の有無を判断して当該駐車場入口装置１０３ａ，１０３ｂ又は駐車場出口装置１０４ａ，１０４ｂに送る。
【０００９】
ある車両１０１がＡ駐車場入口に来て、共通定期券１０２をＡ駐車場入口装置１０３ａの定期券挿入口に挿入する。共通定期券１０２の車番がＡ駐車場入口装置１０３ａで読み取られ、駐車場管理計算機１０５ａに送られる。車番データが読み取られた共通定期券１０２は返却される。駐車場管理計算機１０５ａでは図示しない記憶部を参照して送られた車番が登録されているか、登録が有効期限内であるか判断し、登録が有効であれば、登録有効信号を、登録が有効でなければ、登録無効信号を前記Ａ駐車場入口装置１０３ａに送る。Ａ駐車場入口装置１０３ａは登録有効信号により図示しないカーゲートの開制御をし、登録無効信号によりカーゲートを開とすることなく閉のままとする。このとき、共通定期券１０２が無効である旨の案内放送をしてもよい。カーゲートの開により車両は駐車場に入場可能となり所定の箇所に駐車する。
車両がＢ駐車場に来て、Ｂ駐車場用の駐車場管理計算機１０５ｂが図示しない記憶部を参照して、車番が登録され、有効期限内であれば上記と同様にＢ駐車場入口装置１０３ｂのカーゲート制御により入場させることができ、登録無効であれば入場できないこととなる。
退場の際は、共通定期券１０２をＡ駐車場出口装置１０３ｂの定期券挿入口に挿入する。共通定期券１０２の車番がＡ駐車場出口装置１０３ｂで読み取られ、駐車場管理計算機１０５ａに送られる。駐車場管理計算機１０５ａでは、図示しない記憶部を参照して、送られた車番が登録されているか、登録が有効期限内であるか判断し、登録が有効であれば、登録有効信号を、登録が有効でなければ、登録無効信号を前記Ａ駐車場出口装置１０３ｂに送る。Ａ駐車場出口装置１０３ｂは登録有効信号により図示しないカーゲートの開制御をし、車両は駐車場から出場可能となる。登録無効信号によりカーゲートを開とすることなく閉のままとし、例えば保守室に連絡することにより不正出場を防止することができる。Ｂ駐車場における出場動作についても同様である。
【００１０】
共通定期券１０２には、車番を記録するのであるが、これを複数の駐車場において使用するために、契約者の車番を利用したい駐車場の駐車場管理計算機に登録することのみで有効となり、利用可能駐車場を増やすことができる。
共通定期券としてＪＩＳ型カード等規格された汎用カードを使用することを駐車場設備のメーカー間で合意すれば、当該メーカー間の共用化が可能である。
【図面の簡単な説明】
【００１１】
【図１】本発明による駐車場定期券システムの構成を説明する図である。
【図２】従来の駐車場定期券システムの構成を説明する図である。
【図３】従来の定期券記録データを説明する図である。
【図４】本発明の定期券記録データを説明する図である。
【符号の説明】
【００１２】
１０１…車両、１０２…共通定期券、１０３ａ…Ａ駐車場入口装置、１０４ａ…Ａ駐車場出口装置、１０５ａ…駐車場管理計算機、１０３ｂ…Ｂ駐車場入口装置、１０４ｂ…Ｂ駐車場出口装置、１０５ｂ…駐車場管理計算機。
【図１】
2010020671.tif 000003
【図２】
2010020671.tif 000004
【図３】
2010020671.tif 000005
【図４】
2010020671.tif 000006